(57)【要約】【課題】  商品見本の数にかかわらず各商品見本をより鮮明に照らすことができ、かつ、メンテナンスを低減することができる自動販売機を提供する。【解決手段】  商品見本５を照らす照明部７を備える自動販売機１において、照明部７は、発光ダイオードにより発せられた白色光で略半円形のダミー缶からなる商品見本５を後方から照らす。照明部が商品見本を後側から照らすことにより、いわゆるバックライト効果を得ることができ、商品見本をより鮮明に照らすことができる。【選択図】      図２
2005100457.tif 000002
【特許請求の範囲】
【請求項１】
略半円状を有するダミー缶からなる商品見本と、
発光ダイオードの発光に基づく白色光によって前記商品見本の前記略半円形のダミー缶の内面を後方から照明する照明部とを備えたことを特徴とする自動販売機。
【請求項２】
前記照明部は、前記発光ダイオードとして赤色発光ダイオード、黄色発光ダイオードおよび青色発光ダイオードを有することを特徴とする請求項１記載の自動販売機。
【請求項３】
前記照明部は、前記発光ダイオードとして青色光を発光する青色発光ダイオードを有し、前記青色光と蛍光体の蛍光に基づいて前記白色光を発光することを特徴とする請求項１記載の自動販売機。
【発明の詳細な説明】
【技術分野】
【０００１】
本発明は、商品見本を陳列している自動販売機に関する。
【背景技術】
【０００２】
従来、 図７及び 図８に示すように、自動販売機１００には、数本の蛍光管１０１が用いられており、商品見本１０３の後側やパネル１０７の裏面側に設けられた蛍光管１０１により、商品見本１０３や、商品の販売会社のロゴマーク等が描かれたパネル１０７を照らしていた。
【発明の開示】
【発明が解決しようとする課題】
【０００３】
しかし、蛍光管１０１は、消費電力によってその長さが規定されているため、陳列する商品見本１０３の数に応じた適当な照明を得られないので、その両脇にある商品見本１０３の照明が暗くなってしまうことがある。特に、蛍光管１０１が劣化すると、その長手方向の両端部が暗くなったり、ちらつくため、商品見本１０３を鮮明に照らし難いという課題がある。
【０００４】
また、蛍光管１０１の寿命は、一般に平均２年程度と短く、蛍光管１０１の交換等のメンテナンスに手間がかかるという課題もある。
【０００５】
そこで、本発明は、商品見本の数にかかわらず各商品見本をより鮮明に照らすことができ、かつ、メンテナンスを低減することができる自動販売機を提供することを目的とする。
【課題を解決するための手段】
【０００６】
本発明は、上記目的を達成するため、略半円状を有するダミー缶からなる商品見本と、発光ダイオードの発光に基づく白色光によって前記商品見本の前記略半円形のダミー缶の内面を後方から照明する照明部とを備えたことを特徴とする自動販売機を提供する。
【０００７】
この構成によれば、発光ダイオードにより照明部が白色光を発し、この白色光で商品見本である略半円状を有するダミー缶の内面を後方から照明する。照明部が商品見本を後側から照らすことにより、いわゆるバックライト効果を得ることができ、商品見本をより鮮明に照らすことができる。
【０００８】
また、発光ダイオードを用いた照明部は、自動販売機内の任意の部位に電源とともに容易に配置できるので、陳列されている商品見本の数にかかわらず、照明の明暗のばらつきを防止でき、各商品見本を鮮明に照らすことができる。特に、陳列した複数の商品見本のうち新商品、推奨販売商品を、購買者に対して強力にアピールすることができ、商品広告効果、販売促進を高めることができる。
【０００９】
また、発光ダイオードの寿命は、一般に、１０年以上であり、蛍光管に比べて寿命が充分に長いので、発光ダイオードの交換等のメンテナンスを低減することができ、自動販売機の維持等にかかるランニングコストを低減することができる。更に、照明部の寿命が長いので、照明部の寿命により照明が劣化することを低減でき、その商品に対するイメージダウンや、販売ロスを防止することができる。
【００１０】
また、一般に発光ダイオードの消費電力は、蛍光管に比べて少ないので、照明部の省電力が図れる。しかも、発光ダイオードは蛍光管よりも小さいので、自動販売機内の省スペースをも図れる。
【００１１】
照明部は、発光ダイオードとして赤色発光ダイオード、黄色発光ダイオード、および青色発光ダイオードを有する構成としてもよい。
【００１２】
この構成によれば、それぞれの発光ダイオードの発光は、合成されて白色光となり、商品見本を照らす。三原色の発光ダイオードを組み合わせる簡単な構成で、白色光を容易に得ることができる。
【００１３】
照明部は、青色発光ダイオードと蛍光体との組み合わせにより白色光を発する構成としてもよい。
【００１４】
この構成によれば、青色発光ダイオードからの発光が、蛍光体に入射することにより、蛍光体が蛍光を発光する。この蛍光と青色発光ダイオードの発光とが合成されて白色光となり商品見本を照らす。
【００１５】
青色発光ダイオード及び蛍光体の組み合わせによる簡単な構成で、白色光を容易に得ることができる。また、黄色発光ダイオード及び赤色発光ダイオードを、別途設ける必要がないので、部品点数の低減が図れ、消費電力の低減を更に図ることができる。また、照明部の小型化をも図ることができる。
【００１６】
また、照明部は、複数の商品見本毎に対応して設けられ、１つの照明部が１つの商品見本を照らしてもよい。
【００１７】
この発明によれば、商品見本をより鮮明に照らすことができる。また、１つの照明部が１つの商品見本を照らすので、商品見本毎に照明の明るさを調整することが容易にできる。例えば、新商品、推奨販売商品といった特定の商品見本のみを特に明るくする等、特定の商品見本が目立つように照らすようにすれば、その特定の商品見本に対する購買者の注意を引くことができ、商品広告効果、購買促進を更に高めることができる。
【００１８】
また、照明部は、青色発光ダイオードに赤色及び黄色の発光層を形成することにより、白色光を発する構成としてもよい。
【００１９】
この構成によれば、青色発光ダイオードの発光は、赤色及び黄色の発光層を介して白色光となり商品見本を照らす。
【００２０】
また、照明部は、青色発光ダイオードに蛍光材を含有する透光性被覆部材を被せることにより、白色光を発する構成としてもよい。
【００２１】
この構成によれば、青色発光ダイオードの発光が、透光性被覆部材の蛍光材に入射すると、蛍光材が蛍光を発光する。この蛍光と発光ダイオードの発光とが合成されて白色光となり商品見本を照らす。
【００２２】
尚、異なる蛍光材を含有する複数の透過性被覆材を設ければ、青色発光ダイオードに被せる透過性被覆部材を交換するだけで、照明部からの照明の明暗を容易に変更できる。
【発明の効果】
【００２３】
本発明によれば、商品見本の数にかかわらず各商品見本をより鮮明に照らすことができ、かつ、メンテナンスを低減することができる。
【発明を実施するための最良の形態】
【００２４】
以下、添付した図面を参照しながら本発明の実施の形態を詳細に説明する。  図１に示すように、本実施の形態にかかる自動販売機１は、缶飲料を販売するものであり、自動販売機１内に展示された商品見本（ダミー缶）５と、自動販売機１の照明部７とを有している。
【００２５】
商品見本５は、 図２に示すように、略半円状をなしており、その外周面には、商品のラベル５ａが取り付けられている。この商品見本５は、ダミーステージ９に取り付けられている。
【００２６】
ダミーステージ９は、 図２及び 図３に示すように、商品見本５の取付部１１ａが形成された表面部１１と、表面部１１の後側に位置する背面部１３とを有している。取付部１１ａの四隅には、係合部材１１ｂが設けられており、これら係合部材１１ｂに商品見本５を係合させることにより、商品見本５が取り付けられるようになっている。
【００２７】
照明部７は、 図３に示すように、アクリル樹脂で構成された導光レンズ１７と、導光レンズ１７内に配置された赤色発光ダイオード１９と、黄色発光ダイオード２１と、青色発光ダイオード２３とを有している。各ダイオード１９、２１、２３はそれぞれ、ハーネス１９ａ、２１ａ、２３ａにより給電されるようになっており、これら三原色の発光ダイオード１９、２１、２３の発光により白色光を発するようになっている。
【００２８】
尚、本実施の形態では、発光ダイオード１９、２１、２３は、いわゆるチップタイプの発光ダイオードであるが、いわゆる砲弾タイプの発光ダイオード（ 図６参照）を用いても良い。
【００２９】
このように、照明部７に、従来の蛍光管よりも小さくて消費電力の少ない発光ダイオード１９、２１、２３を用いることにより、照明部７の省電力及び小型化が図れ、自動販売機１内の省スペース化が図れる。また、発光ダイオードの寿命は、一般に１０年以上であり、従来の蛍光管に比べて寿命が充分に長いので、照明部７の交換等のメンテナンスを低減することができるとともに、自動販売機１の維持等にかかるランニングコストを低減することができる。しかも、照明部７の寿命が長いので、照明部７の寿命により照明が劣化することを低減でき、その商品に対するイメージダウンや、販売ロスを防止することができる。
【００３０】
本実施の形態では、商品見本５用の照明部７の他、 図１に示すように、自動販売機１内の上部と、表示パネル１４の照明用にも設けられており、図中横方向に略等間隔に配置されている。
【００３１】
商品見本５近傍の照明部７は、商品見本５の後側に位置するダミーステージ９の背面部１３の下部で、且つ各商品見本５の間に位置するように配置されている。照明部７が商品見本５を後側から照らすことにより、いわゆるバックライト効果を得ることができ、商品見本５を鮮明に照らすことができる。また、商品見本５を鮮明に照らすことができるので、夜間等において、消費者の目をひくことができ、陳列された商品見本５のうち新商品、推奨販売商品を、購買者に対して強力にアピールすることができ、商品広告効果、販売促進を高めることができる。
【００３２】
このように発光ダイオード１９、２１、２３を用いた照明部７は、自動販売機１内の任意の部位に容易に配置できるので、陳列されている商品見本５の数にかかわらず、照明の明暗のばらつきを防止でき、商品見本５を鮮明に照らすことができる。例えば、商品見本５が横一列に１０本陳列されていれば、これに対応して照明部７を横一列に１０箇所配置したり、商品見本５が３つのときは、これに対応して照明部７を３箇所配置するといったことが容易にできる。
【００３３】
次に、上述した構成に基づき、本実施の形態の作用を説明する。ハーネス１９ａ、２１ａ、２３ａを介してそれぞれのダイオード１９、２１、２３に給電をおこなうと、赤色発光ダイオード１９が赤色光を発し、黄色発光ダイオード２１が黄色光を発し、青色発光ダイオード２３が青色光を発する。それぞれの発光ダイオード１９、２１、２３からの発光は合成されて白色光となり、商品見本５、表示パネル１４を照らす。三原色の発光ダイオード１９、２１、２３を組み合わせる簡単な構成で、白色光を容易に得ることができる。また、発光ダイオードの光は、太陽光に照らされても充分な視覚性を示すので、夜間のみならず、昼間においても新商品、推奨購買商品といった特定の商品見本５を照らして、購買者の目を引くようにすることもできる。
【００３４】
尚、三原色の発光ダイオード１９、２１、２３を用いていることにより、発光ダイオードの色を組み合わせることで、様々な色（フルカラー）の照明をおこなうことができ、照明の色に変化をもたらすこともできる。従って、特定の商品見本５を、他の商品見本５と異なる色の照明で照らしたり、商品見本５毎に異なる色の照明で照らしたりすれば、購買者に対して商品見本５をより強力にアピールすることができ、従来の自動販売機との差別化を図ることができる。
【００３５】
また、発光ダイオードによる黄色光は、オオタバコガ等の害虫に対して交尾阻害効果があることが知られており、夜間において、照明部７から黄色光を出すようにすれば、害虫の繁殖を防止できる。
【００３６】
次に、他の実施の形態を説明するがその説明にあたり、上述と同様な部分には、同一の符号を付することにより、その説明を省略する。
【００３７】
図４は、第２実施の形態にかかる照明部を示す断面図である。 図４に示すように、第２実施の形態では、照明部７を各商品見本５内の下部に設け、各商品見本５をそれぞれ照らすようにしたことが、第１実施の形態と異なる。尚、本実施の形態では、商品見本５内の下部に照明部７を設けたが、例えば、商品見本５の背面等に設けても良く、照明部７が商品見本５に直接設けられていれば、その取り付け場所は特に限定しない。
【００３８】
この第２実施の形態では、照明部７が商品見本５を、商品見本５内から直接照らすので、商品見本５をより鮮明に照らすことができる。また、照明部７が商品見本５に直接取り付けられており、１つの照明部７が１つの商品見本５を照らすので、商品見本５毎に照明の明暗を容易に調整することができる。従って、特定の商品見本のみを特に明るくする等、特定の商品見本が目立つように照らすようにすれば、その特定の商品見本に対する購買者の注意を引くことができ、商品広告効果、購買促進を更に高めることができる。更に、商品見本５の配列を変更した場合にも、照明部７の配列を変更する必要がないので、商品見本５の陳列及び照明が容易である。
【００３９】
図５は、第３実施の形態にかかる照明部を示す断面図である。図５に示すように、照明部７は、青色発光ダイオード２３の上に蛍光体２７を設けている。青色発光ダイオード２３からの発光が、蛍光体２７に入射して蛍光体２７が蛍光を発光する。この蛍光と青色発光ダイオード２３の発光とが合成されて白色光となり、商品見本５、表示パネル１４を照らす。
【００４０】
この第３実施の形態では、青色発光ダイオード２３と蛍光体２７との組み合わせによる簡単な構成であり、赤色発光ダイオード及び黄色発光ダイオードを別途設ける必要がないので、部品点数の低減が図れ、消費電力の低減が更に図れる。また、照明部７の小型化をも図ることができる。
【００４１】
図６は、第４実施の形態にかかる照明部を示す断面図である。 図６に示すように、照明部７は、いわゆる砲弾タイプの青色発光ダイオード２９に、蛍光材を含有する透過性のキャップ（透過性被覆材）３１を被せている。発光ダイオード２９からの発光が、キャップ３１に入射すると、キャップ３１に含有されている蛍光材が蛍光を発光する。この蛍光と青色発光ダイオード２９の発光とが合成されて白色光となり、商品見本５、表示パネル１４を照らす。
【００４２】
尚、透過性のキャップ３１の材質は特に限定しないが、例えば、シリコーン系エラストマー等を用いることができる。また、異なる蛍光材を含有する複数のキャップを設ければ、青色発光ダイオード２９に被せるキャップを交換するだけで、照明部７からの照明の明暗を容易に変更できる。更に、第３実施の形態では、砲弾タイプの青色発光ダイオード２９を用いたが、第１乃至第２実施の形態のようなチップタイプの発光ダイオード１９、２１、２３を用いても良いことは言うまでもない。
【００４３】
本発明は、上述した実施の形態に限定されず、その要旨を逸脱しない範囲内において、種々の変形が可能である。例えば、照明部７として、青色発光ダイオードに、赤色及び黄色の発光層を形成して白色光を照らせるようにしたものを用いても良い。
【００４４】
本実施の形態では、ハーネス１９ａ、２１ａ、２３ａにより、各発光ダイオード１９、２１、２３に給電をおこなっていたが、例えば、照明部７に電池を内蔵するようにすれば、照明部７の小型化が更に図れる。また、自動販売機１の天板等に太陽電池を設け、太陽電池により発光ダイオードを発光させるようにすれば、更なる省電力化が図れ、自動販売機１の使用電力及びランニングコストの低減が更に図れる。
【００４５】
本実施の形態では、缶飲料用の自動販売機１に適用したが、例えば、タバコ、紙パック、菓子等の自動販売機に適用しても同様の作用効果を得る。
【図面の簡単な説明】
【００４６】
【図１】本発明を適用した自動販売機を示す平面図である。
【図２】ダミーステージを示す斜視図である。
【図３】ダミーステージに照明部が取り付けられている状態を示す断面図である。
【図４】第２実施の形態にかかる照明部の取り付け状態を示す断面図である。
【図５】第３実施の形態にかかる照明部を示す断面図である。
【図６】第４実施の形態にかかる照明部を示す断面図である。
【図７】従来にかかる自動販売機を示す平面図である。
【図８】従来の蛍光管を示す斜視図である。
【符号の説明】
【００４７】
１  自動販売機
５  商品見本
７  照明部
１９  赤色発光ダイオード
２１  黄色発光ダイオード
２３、２９  青色発光ダイオード
２７  蛍光体
３１  キャップ（透光性被覆部材）
【図１】
2005100457.tif 000003
【図２】
2005100457.tif 000004
【図３】
2005100457.tif 000005
【図４】
2005100457.tif 000006
【図５】
2005100457.tif 000007
【図６】
2005100457.tif 000008
【図７】
2005100457.tif 000009
【図８】
2005100457.tif 000010